(57)【特許請求の範囲】
【請求項１】
画像を表示する表示部と、前記表示部を支持する支持機構とを有し、
前記支持機構は、
前記表示部に対して固定された第１の摺動部材と、この第１の摺動部材に接触すると共にこの第１の摺動部材に対して相対移動可能に設けられた弾性部材よりなる第２の摺動部材とを有し、前記表示部を、少なくとも１つの軸の周りの角度を調節できるよう保持する保持手段と、
前記第１の摺動部材および前記第２の摺動部材の一方を他方に対して押圧し、前記第１の摺動部材と前記第２の摺動部材との摩擦力を利用して、前記保持手段により保持された前記表示部を、前記角度が変化しないように係止する係止手段と、
前記係止手段が前記第１の摺動部材および前記第２の摺動部材の一方を押圧する押圧力を変化させて、前記摩擦力を変化させることにより前記係止手段を操作する操作手段と
を備え、
前記係止手段は、
前記第１摺動部材および前記第２摺動部材を貫通し前記支持機構の内部に突出する軸部と、前記軸部の長手方向中央部から上端部にかけて設けられ、前記第１摺動部材に接触する接触部と、前記軸部の下端に設けられ、前記軸部の軸方向に直交する方向にかつ互いに反対向きに延びる一対の板状部材であるストッパ片とを有する固定部材と、
前記ストッパ片を係止するための長尺状の部材であると共に支軸を中心として揺動可能であり、長手方向一端が二股に分かれると共に前記ストッパ片を下方に押圧する押圧部を有するロックレバーと、
弾性力により前記ロックレバーに前記ストッパ片を下方に押圧させるコイルバネと
を有し、
前記操作手段は、前記ロックレバーの長手方向他端に、前記支持部材の外部に突出する操作部を有する
画像表示装置。
【請求項２】
前記コイルバネは、前記支持機構の底面と前記ロックレバーとの間に設けられ、前記操作部を上方に向けて付勢する
請求項１記載の画像表示装置。
【請求項３】
前記コイルバネは、前記支持機構の上面と前記ロックレバーとの間に、前記軸部を周回するように配置され、前記固定部材を下方に付勢する
請求項１記載の画像表示装置。
【請求項４】
前記第１の摺動部材は、球面の一部をなす第１の面を有し、
前記第２の摺動部材は、球面の一部をなすと共に前記第１の面に接触する第２の面を有する
請求項１記載の画像表示装置。
【請求項５】
前記表示部は、外部のスクリーンに画像を投射する投射手段を有している請求項１記載の画像表示装置。
【請求項６】
前記支持機構に設けられ、前記表示部を前記支持機構に対して着脱自在に装着する着脱手段を備えた
請求項１記載の画像表示装置。
【請求項７】
前記着脱手段は、前記表示部の所定箇所に係合する可動係合部材を有し、
前記可動係合部材は、前記表示部の前記所定箇所に係合する第１の位置と、前記所定箇所から離間する第２の位置との間で移動可能である
請求項６記載の画像表示装置。
【請求項８】
前記表示部は、第１の電気的接続部を有し、
前記支持機構は、前記表示部の前記支持機構への装着に伴って第１の電気的接続部に電気的に接続される第２の電気的接続部を有する
請求項６記載の画像表示装置。
【請求項９】
前記支持機構に取り付けられ、所定の処理を行う処理手段と、
前記表示部と前記処理手段との電気的な接続を行う接続手段を備えた
請求項１記載の画像表示装置。
【請求項１０】
前記支持機構は、前記表示部の前記角度を調節するための角度調節手段を有し、
前記接続手段は、前記角度調節手段に設けられている
請求項９記載の画像表示装置。
【請求項１１】
前記処理手段は、音声を発生する音声発生手段および前記表示部を操作するための操作手段の少なくとも１つを含む
請求項９記載の画像表示装置。
【請求項１２】
画像を表示する機能を有する画像表示装置において、画像を表示する表示部を支持するために用いられる支持機構であって、
前記表示部に対して固定された第１の摺動部材と、この第１の摺動部材に接触すると共にこの第１の摺動部材に対して相対移動可能に設けられた弾性部材よりなる第２の摺動部材とを有し、前記表示部を、少なくとも１つの軸の周りの角度を調節できるよう保持する保持手段と、
前記第１の摺動部材および前記第２の摺動部材の一方を他方に対して押圧し、前記第１の摺動部材と前記第２の摺動部材との摩擦力を利用して、前記保持手段により保持された前記表示部を、前記角度が変化しないように係止する係止手段と、
前記係止手段が前記第１の摺動部材および前記第２の摺動部材の一方を押圧する押圧力を変化させて、前記摩擦力を変化させることにより前記係止手段を操作する操作手段と
を備え、
前記係止手段は、
前記第１摺動部材および前記第２摺動部材を貫通し前記支持機構の内部に突出する軸部と、前記軸部の長手方向中央部から上端部にかけて設けられ、前記第１摺動部材に接触する接触部と、前記軸部の下端に設けられ、前記軸部の軸方向に直交する方向にかつ互いに反対向きに延びる一対の板状部材であるストッパ片とを有する固定部材と、
前記ストッパ片を係止するための長尺状の部材であると共に支軸を中心として揺動可能であり、長手方向一端が二股に分かれると共に前記ストッパ片を下方に押圧する押圧部を有するロックレバーと、
弾性力により前記ロックレバーに前記ストッパ片を下方に押圧させるコイルバネと
を有し、
前記操作手段は、前記ロックレバーの長手方向他端に、前記支持部材の外部に突出する操作部を有する
画像表示装置の支持機構。
【請求項１３】
前記コイルバネは、前記支持機構の底面と前記ロックレバーとの間に設けられ、前記操作部を上方に向けて付勢する
請求項１２記載の画像表示装置の支持機構。
【請求項１４】
前記コイルバネは、前記支持機構の上面と前記ロックレバーとの間に、前記軸部を周回するように配置され、前記固定部材を下方に付勢する
請求項１２記載の画像表示装置の支持機構。
【請求項１５】
前記第１の摺動部材は、球面の一部をなす第１の面を有し、
前記第２の摺動部材は、球面の一部をなすと共に前記第１の面に接触する第２の面を有する
請求項１２記載の画像表示装置の支持機構。
【発明の詳細な説明】
【０００１】
【発明の属する技術分野】
本発明は、例えば投射型画像表示装置などの画像表示装置、および、その画像表示装置において表示部を支持するために設けられる支持機構に関する。
【０００２】
【従来の技術】
画像表示装置には、一般に、直視型の画像表示装置と、投射型の画像表示装置とがある。直視型の画像表示装置は、例えば液晶表示パネルやＣＲＴ（Cathode Ray Tube）などの表示部に画像を形成し、その表示部を観察者が直接観察するものである。一方、投射型の画像表示装置は、液晶表示パネルなどで形成した画像を投射レンズを用いてスクリーンに投射し、その投射画像を観察者が観察するものである。
【０００３】
直視型の画像表示装置には、液晶表示パネルなどの表示部を観察者が観察し易いような角度に向けるため、表示部を角度調節できるよう支持する支持機構が設けられていることが多い。例えば、表示部の鉛直面内における角度（仰角）が調節可能な支持機構はチルトスタンドと呼ばれ、水平面内における角度が調節可能な支持機構はスイーベルスタンドと呼ばれている。
【０００４】
【発明が解決しようとする課題】
しかしながら、投射型の画像表示装置には、表示部の重心が投射レンズ側に偏っているものが多いため、直視型の画像表示装置で用いられているような支持機構をそのまま投射型の画像表示装置に適用したのでは、使用中に表示部の角度が徐々に変化してしまうという問題があった。また、直視型の画像表示装置においても、表示部から延びている接続用のケーブルなどに観察者が誤って触れてしまうと、表示部の角度が不用意に変化してしまうという問題があった。
【０００５】
加えて、従来の画像表示装置では、表示部がねじなどにより支持機構に取り付けられていたため、表示部を支持機構から取り外してメンテナンス（例えばランプ交換）などを行う場合、取り外し作業が煩雑であるという問題もあった。
【０００６】
また、従来の画像表示装置における支持機構は、一定の空間（スペース）を占有しているが、その空間が他の用途などに有効に利用されていないという問題もあった。
【０００７】
本発明はかかる問題点に鑑みてなされたもので、その第１の目的は、表示部を角度調節可能に支持することができ、かつ不用意な角度変化を防止できる画像表示装置および支持機構を提供することにある。また、本発明の第２の目的は、表示部を支持機構から簡単に取り外すことができる画像表示装置を提供することにある。さらに、本発明の第３の目的は、空間を有効利用することができる画像表示装置を提供することにある。
【０００８】
【課題を解決するための手段】
本発明による画像表示装置は、画像を表示する表示部と、表示部を支持する支持機構とを有し、支持機構は、表示部に対して固定された第１の摺動部材と、この第１の摺動部材に接触すると共にこの第１の摺動部材に対して相対移動可能に設けられた弾性部材よりなる第２の摺動部材とを有し、表示部を、少なくとも１つの軸の周りの角度を調節できるよう保持する保持手段と、第１の摺動部材および第２の摺動部材の一方を他方に対して押圧し、第１の摺動部材と第２の摺動部材との摩擦力を利用して、保持手段により保持された表示部を、角度が変化しないように係止する係止手段と、係止手段が第１の摺動部材および第２の摺動部材の一方を押圧する押圧力を変化させて、摩擦力を変化させることにより係止手段を操作する操作手段とを備え、係止手段は、第１摺動部材および第２摺動部材を貫通し支持機構の内部に突出する軸部と、軸部の長手方向中央部から上端部にかけて設けられ、第１摺動部材に接触する接触部と、軸部の下端に設けられ、軸部の軸方向に直交する方向にかつ互いに反対向きに延びる一対の板状部材であるストッパ片とを有する固定部材と、ストッパ片を係止するための長尺状の部材であると共に支軸を中心として揺動可能であり、長手方向一端が二股に分かれると共にストッパ片を下方に押圧する押圧部を有するロックレバーと、弾性力によりロックレバーにストッパ片を下方に押圧させるコイルバネとを有し、操作手段は、ロックレバーの長手方向他端に、支持部材の外部に突出する操作部を有するものである。
【０００９】
本発明による画像表示装置の支持機構は、画像を表示する機能を有する画像表示装置において、画像を表示する表示部を支持するために用いられる支持機構であって、表示部に対して固定された第１の摺動部材と、この第１の摺動部材に接触すると共にこの第１の摺動部材に対して相対移動可能に設けられた弾性部材よりなる第２の摺動部材とを有し、表示部を、少なくとも１つの軸の周りの角度を調節できるよう保持する保持手段と、第１の摺動部材および第２の摺動部材の一方を他方に対して押圧し、第１の摺動部材と第２の摺動部材との摩擦力を利用して、保持手段により保持された表示部を、角度が変化しないように係止する係止手段と、係止手段が第１の摺動部材および第２の摺動部材の一方を押圧する押圧力を変化させて、摩擦力を変化させることにより係止手段を操作する操作手段とを備え、係止手段は、第１摺動部材および第２摺動部材を貫通し支持機構の内部に突出する軸部と、軸部の長手方向中央部から上端部にかけて設けられ、第１摺動部材に接触する接触部と、軸部の下端に設けられ、軸部の軸方向に直交する方向にかつ互いに反対向きに延びる一対の板状部材であるストッパ片とを有する固定部材と、ストッパ片を係止するための長尺状の部材であると共に支軸を中心として揺動可能であり、長手方向一端が二股に分かれると共にストッパ片を下方に押圧する押圧部を有するロックレバーと、弾性力によりロックレバーにストッパ片を下方に押圧させるコイルバネとを有し、操作手段は、ロックレバーの長手方向他端に、支持部材の外部に突出する操作部を有するものである。
【００１０】
本発明による画像表示装置は、支持機構に設けられ、表示部を支持機構に対して着脱自在に装着する着脱手段とを備えることが好ましい。
【００１１】
本発明による画像表示装置は、支持機構に取り付けられ所定の処理を行う処理手段と、表示部と処理手段との電気的な接続を行う接続手段とを備えることが好ましい。
【００１２】
本発明による画像表示装置または画像表示装置の支持機構では、第１の摺動部材と第２の摺動部材との相対移動により表示部の角度調節が可能になると共に、操作手段の操作により係止手段が第１の摺動部材および第２の摺動部材の一方を押圧する押圧力を変化させて、第１の摺動部材と第２の摺動部材との摩擦力を変化させることにより、必要なとき以外は表示部が係止手段により係止される。
【００１３】
本発明による画像表示装置では、着脱手段により、表示部が支持機構に対して着脱自在に装着される。
【００１４】
本発明による画像表示装置では、所定の処理を行う処理手段が支持機構に設けられており、この処理手段と表示部とは接続手段によって接続される。
【００１５】
【発明の実施の形態】
以下、本発明の実施の形態について図面を参照して詳細に説明する。
【００１６】
［第１の実施の形態］
＜画像表示装置の基本構成＞
図１は、本発明の一実施の形態に係る画像表示装置としての画像表示装置１の外観形状を表す斜視図である。この画像表示装置１は、液晶パネルにより形成した画像を、投射レンズ２６を用いて外部のスクリーン２７に投射する略直方体形状の本体３０と、この本体３０を支持する支持機構５０とを有している。ここで、本体３０は、本発明における「表示部」の一具体例に対応し、支持機構５０は、本発明における「支持機構」の一具体例に対応する。支持機構５０は、略直方体形状を有し、その本体３０側と反対の側の面（すなわち、底面）は、例えば図示しないテーブルの上に載置されるようになっている。以下では、支持機構５０をテーブルの上に載置したものとして上方および下方を定義する。また、投射レンズ２６からの光の出射側を前方とし、その反対方向を後方とする。
【００１７】
図２は、画像表示装置１の本体３０の構成を表すものである。本体３０には、ほぼ平行な白色光を発するランプユニット１０が設けられている。このランプユニット１０は、白色光を発する発光体１０Ａと、発光体１０Ａから発せられた光をほぼ平行光として反射する凹面鏡１０Ｂとを含んでいる。ランプユニット１０からの射出光の方向に沿って、ＵＶ（紫外線）／ＩＲ（赤外線）カットフィルタ１１と、フライアイレンズ１２，１３と、集光レンズ１４と、全反射ミラー１５とが設けられている。ＵＶ／ＩＲカットフィルタ１１は、ランプユニット１０から発せられた白色光に含まれる紫外領域および赤外領域の光を除去するようになっている。フライアイレンズ１２，１３は、ＵＶ／ＩＲカットフィルタ１１を透過した光を拡散させて光の強度分布を均一化するようになっている。全反射ミラー１５は、ＵＶ／ＩＲカットフィルタ１１、フライアイレンズ１２，１３および集光レンズ１４を介して入射した光を約９０度偏向して反射するようになっている。
【００１８】
全反射ミラー１５によって反射された光束の光路には、Ｂダイクロイックミラー１６が設けられている。Ｂダイクロイックミラー１６は、全反射ミラー１５からの反射光を、青色光ＬＢと、その他の色光とに分離する機能を有している。Ｂダイクロイックミラー１６によって分離された青色光ＬＢの光路に沿って、全反射ミラー１７と、集光レンズ２３Ｂと、Ｂ液晶ライトバルブ２４Ｂとが順に設けられている。全反射ミラー１７は、Ｂダイクロイックミラー１６によって分離された青色光ＬＢを、Ｂ液晶ライトバルブ２４Ｂに向けて反射するようになっている。集光レンズ２３Ｂは、Ｂダイクロイックミラー１６によって反射された青色光ＬＢを、Ｂ液晶ライトバルブ２４Ｂに集光するようになっている。Ｂ液晶ライトバルブ２４Ｂは、全反射ミラー１７および集光レンズ２３Ｂを介して入射した青色光ＬＢを、画像信号に応じて空間的に変調するようになっている。
【００１９】
Ｂダイクロイックミラー１６によって分離された他の色光（緑色光ＬＧおよび赤色色ＬＲ）の光路に沿って、Ｇダイクロイックミラー１８が設けられている。Ｇダイクロイックミラー１８は、入射した光を、緑色光ＬＧと赤色光ＬＲとに分離する機能を有している。Ｇダイクロイックミラー１８によって分離された緑色光ＬＧの光路に沿って、集光レンズ２３Ｇと、Ｇ液晶ライトバルブ２４Ｇとが順に設けられている。集光レンズ２３Ｇは、Ｇダイクロイックミラー１８によって分離された緑色光ＬＧを、Ｇ液晶ライトバルブ２４Ｇに集光するようになっている。Ｇ液晶ライトバルブ２４Ｇは、集光レンズ２３Ｇを介して入射した緑色光ＬＧを、画像信号に応じて空間的に変調するようになっている。
【００２０】
Ｇダイクロイックミラー１８によって分離された赤色光ＬＲの光路に沿って、リレーレンズ１９と、全反射ミラー２０と、リレーレンズ２１と、全反射ミラー２２と、集光レンズ２３Ｒと、Ｒ液晶ライトバルブ２４Ｒとが順に設けられている。全反射ミラー２０は、Ｇダイクロイックミラー１８によって分離され、リレーレンズ１９を介して入射した赤色光ＬＲを、全反射ミラー２２に向けて反射するようになっている。全反射ミラー２２は、全反射ミラー２０によって反射され、リレーレンズ２１を介して入射した赤色光ＬＲを、Ｒ液晶ライトバルブ２４Ｒに向けて反射するようになっている。Ｒ液晶ライトバルブ２４Ｒは、全反射ミラー２２によって反射され、集光レンズ２３Ｒを介して入射した赤色光ＬＲを、画像信号に応じて空間的に変調するようになっている。
【００２１】
青色光ＬＢ、緑色光ＬＧおよび赤色光ＬＲの光路が交わる位置には、３つの色光ＬＢ、ＬＧ，ＬＲを合成する機能を有したダイクロイックプリズム２５が設けられている。ダイクロイックプリズム２５は、３つの入射面２５Ｂ，２５Ｇ，２５Ｒと、１つの出射面２５Ｔとを有している。入射面２５Ｂには、Ｂ液晶ライトバルブ２４Ｂから出射された青色光ＬＢが入射するようになっている。入射面２５Ｇには、Ｇ液晶ライトバルブ２４Ｇから出射された緑色光ＬＧが入射するようになっている。入射面２５Ｒには、Ｒ液晶ライトバルブ２４Ｒから出射された赤色光ＬＲが入射するようになっている。ダイクロイックプリズム２５は、入射面２５Ｂ，２５Ｇ，２５Ｒに入射した３つの色光を合成して出射面２５Ｔから出射するようになっている。ダイクロイックプリズム２０の出射面２０Ｔに隣接して、このダイクロイックプリズム２０で合成された光をスクリーン２７上に投射する投射レンズ２６が設けられている。なお、Ｂ液晶ライトバルブ２４Ｂ，Ｇ液晶ライトバルブ２４ＧおよびＲ液晶ライトバルブ２４Ｒおよび発光体１０Ａの駆動制御を行うため、本体３０には、コントローラ１００が設けられている。
【００２２】
図３は、画像表示装置１を後方から見た外観形状を表すものである。支持機構５０の後方側の面（以下、背面５９とする。）には、本体３０のコントローラ１００の各種制御を行う操作スイッチ部９０が設けられている。この操作スイッチ部９０には、例えば、本体３０の電源投入および切断を行う電源スイッチ、および、本体３０に関する各種制御（画質の調整や入力の切り替えなど）を行う調整スイッチなどが含まれている。支持機構５０の背面５９には、さらに、本体３０のコントローラ１００からの指令に基づく表示を行うインジケータ９１が設けられている。インジケータ９１には、例えば、コントローラ１００に電源が投入されていることを表示する表示部、コンピュータなどからのデータの転送が行われていることを表示する表示部、および、本体３０に何らかの不具合が発生したことを表示する表示部などが含まれている。
【００２３】
支持機構５０の背面５９には、さらに、遠隔操作ユニット９５から送信された指示を受信する受信部９７が設けられている。遠隔操作ユニット９５は、例えば上述した操作スイッチ部９０とほぼ同様の各種スイッチを有するものであり、いずれかのスイッチが操作されると、その操作に応じて赤外線信号などを発信するようになっている。支持機構５０の受信部９７は、遠隔操作ユニット９５からの赤外線信号を受信すると、図示しない接続ケーブル（後述）を介して、コントローラ１００に指令を送信するようになっている。
【００２４】
支持機構５０の側方の面（以下、側面５８とする。）には、電源ケーブルを接続するための電源端子部９３と、外部機器（コンピュータなど）との情報の送受信のための接続ケーブルを接続するための情報端子部９４と、遠隔操作ユニット９５を収容するための収容スペース９６が設けられている。
【００２５】
本実施の形態では、本体３０が支持機構５０に対してワンタッチで着脱されるようになっている。以下、これについて説明する。
【００２６】
図４は、支持機構５０から本体３０を取り外した状態を表すものである。支持機構５０の上面には、ほぼ正方形の板状部材である保持板４０が設けられており、その保持板４０に本体３０が取り付けられるようになっている。保持板４０の上面には、本体３０の所定の部位に係合する複数の係合部材４１が設けられている。係合部材４１は、保持板４０の上面から鉛直上方に延びる鉛直部４１Ａと、この鉛直部４１Ａの上端から前方に延びる水平部４１Ｂとを有している。係合部材４１は、保持板４０の両側端部に沿って、例えば前後に３つずつ配列されている。保持板４０の後端部のほぼ中央には、係合部材４１と同じ形状の係合部材４２が一つ設けられている。
【００２７】
図５は、本体３０を保持板４０に取り付けるための構造を模式的に表すものである。本体３０の底部には、保持板４０の係合部材４１に係合する係合部材３１が設けられている。この係合部材３１は、本体３０の底面から鉛直下方に延びる鉛直部３１Ａと、鉛直部３１Ａの下端から後方に延びる水平部３１Ｂとを有している。ここでは、図５に矢印Ｍで示したように、本体３０を保持板４０上において後方に移動させることにより、本体３０の係合部材３１が保持板４０の係合部材４１に前方から係合するようになっている。
【００２８】
本体３０には、本体３０を保持板４０に対して固定するためのスライドスイッチ３５が設けられている。スライドスイッチ３５は、一方向に長い直方体よりなるスライド体３２を有している。このスライド体３２は、その長手方向が本体３０の後端部に沿うように配置されており、さらに、（図示しない支持部材により）その長手方向に移動可能に支持されている。スライド体３２の長手方向中央部には、本体３０の後方に向かって突出する突出部３４が形成されており、この突出部３４は、本体３０に設けられた開口部を通じて外部に突出している。スライド体３２の長手方向一端には、所定のテーパ３３Ａを有する当接ブロック３３が取り付けられている。スライド体３２の長手方向他端には、スライド体３２を当接ブロック３３側に付勢するコイルバネ３２Ａが設けられている。図中矢印Ｍで示したように本体３０を保持板４０上において後方に移動させると、ブロック３３のテーパ面３３Ａが係合部材４２に当接し、ブロック３３がコイルバネ３２Ａの弾性力に抗して係合部材４２から離れる方向に移動するようになっている。本体３０をさらに保持板４０の後方に移動させると、テーパ部３３Ａが係合部材４２を通過するため、スライド体３２がコイルバネ３２Ａにより押し戻され、図中破線で示したように係合部材４２の後方側に係合するようになっている。これにより、本体３０の係合部材３１が保持板４０の係合部材４１の前方側に係合し、本体３０の係合部材３２が保持板４０の係合部材４２の後方側に係合することとなる。すなわち、本体３０は、保持板４０上において、前方にも後方にも移動不能に係止される。一方、スライドスイッチ３５を図中左側に移動させると、スライド体３２が係合部材４２と係合する位置から退避するため、本体３０が前方に移動させることができるようになり、これにより、本体３０の取り外しが可能になる。
【００２９】
ここで、保持板４０、スライドスイッチ３５、係合部材３１および係合部材４１は、本発明における「着脱手段」の一具体例に対応する。また、スライドスイッチ３５は、本発明における「可動係合部材」の一具体例に対応する。
【００３０】
次に、本体３０を角度調節可能に支持するための構成について説明する。図６は、支持機構５０の構造を表す分解斜視図であり、図７は、図１のＶＩＩ−ＶＩＩ線における矢視断面を表す断面図である。図６に示したように、支持機構５０の上部には、球面の一部をなす形状の凹面５１が形成されている。この凹面５１の表面には、ゴムあるいはウレタンなどの弾性部材よりなるシート５２（図７）が貼り付けられている。支持機構５０の凹面５１には、回転体形状の形状を有する摺動支持部材８０が保持されている。摺動支持部材８０は、球面の一部をなす形状の外周面８１を有しており、この外周面８１は、凹面５１の曲率とほぼ同じ曲率を有している。これにより、摺動支持部材８０の外周面８１は、凹面５１の表面に貼られたシート５２に沿って摺動するようになっている。摺動支持部材８０の上端縁８４は平坦になっており、この上端縁８４に上述した保持板４０の下面が固着されている。摺動支持部材８０の内周面８２は、外周面８１と同様、球面の一部をなす形状を有している。
【００３１】
ここで、支持機構５０（シート５２および凹面５１を含む）および摺動支持部材８０は、本発明における「保持手段」の一具体例に対応する。また、摺動支持部材８０は、本発明における「第１の摺動部材」の一具体例に対応し、シート５２は、本発明における「第２の摺動部材」の一具体例に対応する。
【００３２】
この摺動支持部材８０の内周面８２側には、摺動支持部材８０をシート５２に押し当てるための固定部材７０が設けられている。固定部材７０は、鉛直方向に延びる円筒形状の軸部７１と、その軸部７１の長手方向中央部から上端部にかけて設けられた回転体形状の接触部７２とを有している。接触部７２の外周面は、摺動支持部材８０の内周面８２の曲率とほぼ同じ曲率をもつ球面の一部をなしている。固定部材７０の軸部７１は、摺動支持部材８０に形成された貫通孔８３および凹面５１に形成された貫通孔５３を通じて、支持機構５０の内部に突出している。軸部７１の下端には、軸部７１の軸方向に直交する方向にかつ互いに反対向きに延びる一対の板状部材であるストッパ片７３（図６）が形成されている。
【００３３】
支持機構５０には、固定部材７０のストッパ片７３を係止するための長尺状の部材であるロックレバー６０が設けられている。ロックレバー６０の長手方向一端は二股に分かれた形状を有しており、上述した固定部材７０のストッパ片７３を下方に押圧する押圧部６２となっている。ロックレバー６０の長手方向他端は、支持機構５０に形成された開口部６６を介して、外部に突出する操作部６５となっている。ロックレバー６０は、凹面５１の貫通孔５３近傍に設けられた支軸６３を中心として揺動可能になっている。また、支持機構５０の開口部６６の近傍にはコイルバネ６１（図７）が設けられており、ロックレバー６０の操作部６５側を上方に向けて付勢している。
【００３４】
これにより、操作部６５が使用者によって押し下げられていないときには、コイルバネ６１の弾性力によりロックレバー６０がスライド片７３を下方に押圧するため、固定部材７０が摺動支持部材８０を凹面５１上のシート５２に押し当て、摺動支持部材８０とシート５２との間には強い摩擦力が作用するようになっている。これに対し、使用者が操作部６５を押し下げると、固定部材７０が摺動支持部材８０をシート５２に押し当てる力が低下するため、摺動支持部材８０とシート５２との間に働く摩擦力が低下するようになっている。
【００３５】
ここで、ロックレバー６０、コイルバネ６１および固定部材７０は、本発明における「係止手段」の一具体例に対応する。また、操作部６５は、本発明における「操作手段」の一具体例に対応する。
【００３６】
図８は、本体３０の角度調節を行っている状態を表す図である。摺動支持部材８０の貫通孔８３の内径は、固定部材７０の軸部７１の外径よりも大きいため、図８に示したように、摺動支持部材８０は凹面５１上のシート５２に沿って一定の範囲で移動可能である。これにより、本体３０は、摺動支持部材８０の曲率の中心Ｃを通る任意の軸を中心とした角度調節が可能になる。
【００３７】
次に、支持機構５０の内部に設けられた操作スイッチ部９０と、本体３０に設けられたコントローラ１００との電気的な接続のための構成について説明する。
【００３８】
図９は、支持機構５０の内部に設けられた操作スイッチ部９０と、本体３０に設けられたコントローラ１００との接続のための構成を表すものであり、図３におけるＩＸ−ＩＸ線における矢視断面を表すものである。支持機構５０に設けられた操作スイッチ部９０と、本体３０に設けられたコントローラ１００とは、固定部材７０の軸部７１の内側を通る接続ケーブル１０１によって接続されている。この接続ケーブル１０１の一端部は、固定部材７０の軸部７１に形成された貫通孔７５を通じて操作スイッチ部９０まで延びており、この操作スイッチ部９０に接続されている。接続ケーブル１０１の他端部は、固定部材７０の上方に位置する保持板４０まで延びており、保持板４０の上面に設けられた接続ピン４６に接続されている。この接続ピン４６は、保持板４０の上面に形成された凸部４５から前方に水平に延出している。
【００３９】
本体３０の底面近傍には、支持機構５０の接続ピン４６に係合する接続孔３８を有している。接続孔３８は、本体３０を支持機構５０に取り付けるときに（すなわち、係合部材３１と係合部材４１とを係合させるときに）、支持機構５０の接続ピン４６と係合するよう前後方向に長い形状を有している。この接続孔３８とコントローラ１００とは、接続ケーブル１０２により接続されている。これにより、本体３０を支持機構５０に取り付けると、接続ケーブル１０１，接続ピン４６，接続孔３８および接続ケーブル１０２を介して、操作スイッチ部９０とコントローラ１００とが電気的に接続されるようになっている。なお、図３に示したインジケータ９１、受光部９７，電源端子９３および情報端子９４は、いずれも、接続ケーブル１０１と同様の接続ケーブル（図示せず）を用いて、コントローラ１００に接続されている。
【００４０】
ここで、操作スイッチ部９０、インジケータ９１、受光部９７、電源端子９３および情報端子９４は、本発明における「処理手段」の一具体例に対応し、接続ピン４６および接続孔３８は、本発明における「接続手段」の一具体例に対応する。
【００４１】
＜画像表示装置の動作＞
次に、本実施の形態における画像表示装置１の使用方法および動作を説明する。
【００４２】
画像表示装置１を電源を投入する際には、まず、支持機構５０の電源端子９３に、専用の電源ケーブル（図示せず）を接続し、この電源ケーブルを、例えば会議室などに設置された図示しない電源供給用端子に接続する。電源端子９３を介して供給される電力は、図示しない接続ケーブルを介して本体３０に送られ、コントローラ１００やランプユニット１０に供給される。続いて、使用者は、支持機構５０の操作スイッチ部９０の電源スイッチを操作する。操作スイッチ部９０は、電源投入指示を表す信号を、接続ケーブル１０１，１０２を介して本体３０のコントローラ１００に送信する。信号を受信したコントローラ１００は、まず、ランプユニット１０の発光体１０Ａを点灯させる。コントローラ１００は、さらに、図示しない外部機器（コンピュータなど）から情報端子９４を介して入力された画像情報に応じて、液晶ライトバルブ２４Ｂ，２４Ｇ，２４Ｒの表示制御を開始する。
【００４３】
ランプユニット１０から発せられた白色光は、まず、ＵＶ／ＩＲカットフィルタ１１を透過することにより、紫外領域および赤外領域の光が除去される。ＵＶ／ＩＲカットフィルタ１１を透過した光は、次に、フライアイレンズ１２，１３および集光レンズ１４を透過した後、全反射ミラー１５により約９０度反射されたのち、Ｂダイクロイックミラー１６に入射する。Ｂダイクロイックミラー１６に入射した光は、Ｂダイクロイックミラー１６の作用により、青色光ＬＢと、その他の色光とに分離される。
【００４４】
Ｂダイクロイックミラー１６によって分離された青色光ＬＢは、全反射ミラー１７によって、Ｂ液晶ライトバルブ２４Ｂに向けて反射される。全反射ミラー１７によって反射された赤色光ＬＢは、集光レンズ２３Ｂを介してＢ液晶ライトバルブ２４Ｂに入射する。Ｂ液晶ライトバルブ２４Ｂに入射した赤色光ＬＢは、Ｂ液晶ライトバルブ２４Ｂにおいて、画像信号に応じて空間的に変調された後、ダイクロイックプリズム２５の入射面２５Ｂに入射する。一方、Ｂダイクロイックミラー１６によって分離されたその他の色光は、次に、Ｇダイクロイックミラー１８に入射し、ここで、緑色光ＬＧと赤色光ＬＲとに分離される。Ｇダイクロイックミラー１８によって分離された緑色光ＬＧは、集光レンズ２３Ｇを介してＧ液晶ライトバルブ２４Ｇに入射する。Ｇ液晶ライトバルブ２４Ｇに入射した緑色光ＬＧは、Ｇ液晶ライトバルブ２４Ｇにおいて、画像信号に応じて空間的に変調された後、ダイクロイックプリズム２５の入射面２５Ｇに入射する。
【００４５】
Ｇダイクロイックミラー１８によって分離された赤色光ＬＲは、リレーレンズ１９を介して全反射ミラー２０に入射し、ここで、全反射ミラー２２に向けて反射される。全反射ミラー２０によって反射された赤色光ＬＲは、リレーレンズ２１を介して全反射ミラー２２に入射し、ここで、Ｒ液晶ライトバルブ２４Ｒに向けて反射される。全反射ミラー２２によって反射された赤色光ＬＲは、集光レンズ２３Ｒを介してＲ液晶ライトバルブ２４Ｒに入射する。Ｒ液晶ライトバルブ２４Ｒに入射した赤色光ＬＲは、Ｒ液晶ライトバルブ２４Ｒにおいて、画像信号に応じて空間的に変調された後、ダイクロイックプリズム２５の入射面２５Ｒに入射する。
【００４６】
ダイクロイックプリズム２５に入射した３つの色光ＬＢ，ＬＧ，ＬＲは、ダイクロイックプリズム２５の作用により合成され、出射面２５Ｔから投射レンズ２６に向けて出射される。ダイクロイックプリズム２５から出射された合成光は、投射レンズ２６によって、スクリーン２７に投射され、スクリーン２７上に画像を形成する。
【００４７】
ここで、使用者は、投射された画像（以下、投射画像Ｐとする。）とスクリーン２７との位置を合わせるため、画像表示装置１の本体３０の角度調節を行うことができる。すなわち、使用者は、支持機構５０のロックレバー６０の操作部６５を左手で押し下げて本体３０の角度調節を可能にしつつ、投射画像Ｐを観察しながら右手で本体３０の角度を調節する。
【００４８】
例えば、図１０（Ａ）に示したように、投射画像Ｐがスクリーン２７に対して水平方向（右側あるいは左側）にずれている場合には、本体３０の鉛直軸の周りの角度調節を行う。図１０（Ｂ）に示したように、投射画像Ｐがスクリーン２７に対して鉛直方向（上方あるいは下方）にずれている場合には、本体３０の投射レンズ２６の光軸に直交する軸の周りの角度調節を行う。図１０（Ｃ）に示したように、投射画像Ｐがスクリーン２７に対して傾いている場合には、本体３０の投射レンズ２６の光軸に平行な軸の周りの角度調節を行う。
【００４９】
次に、本体３０を支持機構５０から取り外す作業、および、本体３０を支持機構５０に取り付ける作業について、図５を参照して説明する。まず、本体３０を支持機構５０から取り外す場合、使用者は、スライドスイッチ３５を図中左側にスライドさせ、スライド体３２を係合部材４２と係合する位置から退避させる。この状態で、本体３０を前方に移動させると、本体３０の係合部材３１が支持機構５０の保持板４０上の係合部材４１から離間し、本体３０が保持板４０から（すなわち支持機構５０から）取り外される。本体３０の支持機構５０からの取り外しに伴い、接続ピン４６（図９）は接続孔３８から外れ、本体３０内のコントローラ１００と支持機構５０内の操作スイッチ部９０などとの電気的な接続は切り離される。
【００５０】
一方、本体３０を支持機構５０に取り付ける場合には、本体３０を、支持機構５０の保持板４０上において前方から後方に移動させる。これにより、本体３０の係合部材３１が保持板４０の係合部材４１に前方側から係合する。さらに、スライドスイッチ３５のテーパ部３３Ａは係合部材４２に当接するため、スライド部材３２はコイルバネ３２Ａの弾性力に抗して図中左側に一旦退避したのち、図中破線で示したように係合部材４２に後方側から係合する。これにより、本体３０は支持機構５０に係止される。本体３０の支持機構５０への取り付けに伴い、接続ピン４６と接続孔３８とが係合し、本体３０内のコントローラ１００と支持機構５０内の操作スイッチ部９０などとが電気的に接続される。
【００５１】
＜実施の形態の効果＞
以上説明したように、本実施の形態に係る画像表示装置１では、固定部材７０を用いて摺動支持部材８０をシート５２に押し当て、その摩擦力を利用して本体３０を支持機構５０に固定するようにしたので、本体３０の重心が比較的前方に偏っていた場合でも、不用意に傾きが変化してしまうことがない。さらに、操作レンバー６５を押し下げて摺動支持部材８０とシート５２との摩擦力を低下させることができるようにしたので、本体３０の角度調節を容易に行うことが可能になる。
【００５２】
また、摺動支持部材８０の外面８１および凹面５１を、いずれも球面の一部をなす形状としたので、本体３０の角度を様々な方向に調節することができる。例えば、鉛直軸を中心とする角度、光軸と平行な軸を中心とする角度、および、水平面内において光軸に直交する軸を中心とする角度などが全て調節可能となる。
【００５３】
さらに、固定部材７０を用いて摺動支持部材８０をシート５２に押し当てるようにしたので、摺動支持部材８０とシート５２との摩擦力を容易に制御できるようになる。
【００５４】
加えて、スライドスイッチ３５を操作しながら本体３０を移動させるだけで、本体３０を支持機構５０から取り外すことができるようにしたので、本体３０のメンテナンス（発光体１０Ａの定期交換など）を行う際の、本体３０の支持機構５０からの取り外し作業が極めて容易になる。
【００５５】
さらに、支持機構５０の内部に操作スイッチ部９０などを設けるようにしたので、支持機構５０の内部の空間を有効に利用することができる。
【００５６】
加えて、本体３０の支持機構５０への取り付けにより、本体３０内のコントローラ１００と支持機構５０内の操作スイッチ部９０などとを電気的に接続するようにしたので、本体３０の着脱の度にケーブルなどの接続をし直す必要がない。
【００５７】
［第２の実施の形態］
図１１は、本発明の第２の実施の形態を表すものである。第２の実施の形態では、ロックレバーを付勢するコイルバネの位置が第１の実施の形態と異なるものである。図１１では、図１に示した画像表示装置１の構成要素と同一の構成要素には同一の符号を付し、適宜説明を省略する。
【００５８】
画像表示装置１Ａでは、ロックレバー１６０を付勢するコイルバネ１６１は、固定部材７０の軸部７１を周回するように配置されている。コイルバネ１６１の上端は、支持機構５０において凹面５１を形成する部位の下面に当接しており、コイルバネ１６１の下端は、ロックレバー１６０の上端に当接している。このコイルバネ１６１は、ロックレバー１６０の押圧部１６２を下方に押圧し、これにより固定部材７０を下方に付勢するようになっている。なお、ロックレバー１６０の構造は、押圧部１６２がコイルバネ１６１の下端に当接するに充分な長さを有している点を除き、第１の実施の形態のロックレバー６０と同じである。使用者が操作部６５を押し下げると、ロックレバー１６０の押圧部１６２はコイルバネ１６１の弾性力に抗して上昇し、これにより固定部材７０の押圧を解除する。
【００５９】
本実施の形態の画像表示装置１Ａでは、使用者が操作部６５を押し下げていないときには、コイルバネ１６１の弾性力により、ロックレバー１６０の押圧部１６２が固定部材７０のストッパ片７３を下方に押し下げているため、摺動支持部材８０はシート５２に押し当てられ、摺動支持部材８０とシート５２との摩擦力により本体３０は係止される。一方、使用者が操作部６５を押し下げると、ロックレバー１６０の押圧部１６２が上昇し、ストッパ片７３の押し下げが解除されるため、摺動支持部材８０がシート５２に押し当てられる力は低下し、本体３０の角度調節が可能になる。
【００６０】
本実施の形態では、第１の実施の形態と同様、本体３０の角度調節を容易に行うことができ、かつ、設定した角度が不用意に変化してしまうことが防止される。
【００６１】
［第３の実施の形態］
図１２は、本発明の第３の実施の形態を表すものである。第３の実施の形態では、ロックレバーの代わりにロッド２６０を用いるようにした点において、第１の実施の形態と異なるものである。図１２では、図１に示した画像表示装置１の構成要素と同一の構成要素には同一の符号を付し、適宜説明を省略する。
【００６２】
画像表示装置１Ｂの支持機構５０には、水平方向に長く延びるロッド２６０が設けられている。ロッド２６０の長手方向一端は、支持機構５０の側面に形成された開口部２６６を通じて外部に突出しており、ロッド２６０の長手方向他端は、固定部材７０の軸部７１に達している。支持機構５０における軸部７１の近傍には、コイルバネ２６５が設けられおり、このコイルバネ２６５はロッド２６０を支持機構５０の外部に向けて長手方向に付勢している。すなわち、ロッド２６０は、使用者によって押し込まれていないときには、図１２に示したように、コイルバネ２６５の付勢力によって支持機構５０の外部に突出している。
【００６３】
固定部材７０は、第１の実施の形態のようなストッパ片７３を有しておらず、その代わり、軸部７１の側面にはカムピン２７０が突設されている。ロッド２６０には、固定部材７０のカムピン２７０に係合するカム溝２６１が形成されている。カム溝２６１は、ロッド２６０が支持機構５０の内部に押し込まれることによって固定部材７０が下方に移動し、ロッド２６０が外部に突出することにより固定部材７０が上方に移動するような形状になっている。
【００６４】
本実施の形態の画像表示装置１Ｂでは、使用者がロッド２６０を押し込んでいないときには、コイルバネ２６５の弾性力によってロッド２６０が突出位置にあるため、図１２に示したように固定部材７０は移動範囲の下端位置にある。従って、カムピン２７０とカム溝２６１との係合により、摺動支持部材８０はシート５２に押し当てられる。すなわち、本体３０の角度調節はロックされる。一方、使用者がコイルバネ２６５の弾性力に抗してロッド２６０を押し込むと、カムピン２７０とカム溝２６１との係合により固定部材７０が上方に移動し、これにより、摺動支持部材８０がシート５２に押し当てられる力は低下する。すなわち、本体３０の角度調節が可能になる。
【００６５】
本実施の形態では、第１の実施の形態および第２の実施の形態と同様、本体３０の角度調節を容易に行うことができ、かつ、設定した角度が不用意に変化してしまうことが防止される。
【００６６】
［第４の実施の形態］
図１３は、本発明の第４の実施の形態を表すものである。第４の実施の形態は、支持機構５０にスピーカが内蔵されている点において、第１の実施の形態と異なっている。図１３では、図１に示した画像表示装置１の構成要素と同一の構成要素には同一の符号を付し、適宜説明を省略する。
【００６７】
本実施の形態の画像表示装置１Ｃでは、支持機構５０の背面５９に一対のスピーカ３００が設けられている。スピーカ３００を支持機構５０の背面５９に設けるようにしたのは、スクリーン上の投射画像を観察する観察者に音声が届き易くするためである。スピーカ３００は、本体３０に設けられたコントローラ１００によって駆動制御される。スピーカ３００とコントローラ１００とは、図７に示した接続ケーブル１０１と同様の接続ケーブル（図示せず）によって接続されているものとする。なお、操作スイッチ部などは、支持機構５０の側面あるいは前面に設けることが好ましい。ここで、スピーカ３００は、本発明における「処理手段」および「音声発生手段」の一具体例に対応する。
【００６８】
本実施の形態では、支持機構５０にスピーカ３００を設けることにより、支持機構５０のスペースを有効に利用することができる。このように支持機構５０の内部のスペースを有効に利用することにより、スピーカ３００のサイズを、良好な音声を発するに充分な大きさにすることができる。
【００６９】
以上、実施の形態を挙げて本発明を説明したが、本発明はこの実施の形態に限定されるものではなく、種々の変形が可能である。例えば、支持機構５０は、テーブルなどの上に載置されるものには限定されず、天井から吊り下げられるものであってもよい。また、本発明は、液晶を用いた投射型画像表示装置には限定されず、他の画像表示装置に適用してもよい。
【００７０】
【発明の効果】
以上説明したように、請求項１ないし請求項１１のいずれか１項に記載の画像表示装置または請求項１２ないし請求項１５のいずれか１項に記載の画像表示装置の支持機構によれば、表示部を角度調節可能に保持する保持手段と、この表示部を角度が変化しないよう係止する係止手段と、この係止手段を操作する操作手段とを設けるようにしたので、操作手段の操作により、必要なときにのみ表示部の角度調整が可能になり、必要なとき以外は表示部が係止される。すなわち、重心が偏っている表示部（例えば投射型の画像表示装置の表示部）であっても、角度調節可能に支持することができ、かつ、表示部の角度の不用意な変化を防止することができる。
【００７１】
また、係止手段が第１の摺動部材および第２の摺動部材の一方を押圧する押圧力を変化させて、第１の摺動部材と第２の摺動部材との間の摩擦力を変化させるようにしたので、表示部の係止および係止解除を確実に行うことができる。
【００７２】
さらに、請求項４記載の画像表示装置または請求項１５記載の画像表示装置の支持機構によれば、第１の摺動部材および第２の摺動部材がそれぞれ球面の一部をなす形状を有するようにしたので、様々な方向における表示部の角度調節が可能になる。
【００７３】
また、請求項６ないし請求項８のいずれか１項に記載の画像表示装置によれば、表示部を支持機構に対し着脱可能に装着する着脱手段を設けたので、表示部の支持機構への取り付けおよび取り外しが容易になる。
【００７４】
さらに、請求項９ないし請求項１１のいずれか１項に記載の画像表示装置によれば、支持機構に、表示部の動作に関連する処理を行う処理手段を設けたので、支持機構の占める空間を有効に利用することができる。
【図面の簡単な説明】
【図１】本発明の第１の実施の形態に係る画像表示装置の外形を表す斜視図である。
【図２】図１に示した画像表示装置の基本構成を表す平面図である。
【図３】図１に示した画像表示装置の外形形状を表す斜視図である。
【図４】図１に示した画像表示装置の本体を支持機構から取り外している状態を表す斜視図である。
【図５】図１に示した画像表示装置における本体と支持機構との接続部を拡大して表す斜視図である。
【図６】図１に示した画像表示装置の支持機構を分解して表す斜視図である。
【図７】図１に示した画像表示装置のＶＩＩ−ＶＩＩ線矢視断面図である。
【図８】図７に示した画像表示装置において本体の角度調節が行われている状態を表す断面図である。
【図９】図３に示した画像表示装置のＩＸ−ＩＸ線矢視断面図である。
【図１０】スクリーンと投射画像との位置ずれの例を説明するための図である。
【図１１】本発明の第２の実施の形態に係る画像表示装置の構造を表す断面図である。
【図１２】本発明の第３の実施の形態に係る画像表示装置の構造を表す断面図である。
【図１３】本発明の第４の実施の形態に係る画像表示装置の構造を表す外形図である。
【符号の説明】
１…画像表示装置、１０…ランプユニット、３０…本体、３１…係合部材、３５…スライドスイッチ、４０…保持板、４１…係合部材、５０…支持機構、５１…凹面、５２…シート、６０…ロックレバー、６１…弾性部材、６５…操作部、７０…固定部材、８０…摺動支持部材、９０…操作スイッチ部、１００…コントローラ、１０１，１０２…接続ケーブル。
【図１】
0004623343.tif 000002
【図２】
0004623343.tif 000003
【図３】
0004623343.tif 000004
【図４】
0004623343.tif 000005
【図５】
0004623343.tif 000006
【図６】
0004623343.tif 000007
【図７】
0004623343.tif 000008
【図８】
0004623343.tif 000009
【図９】
0004623343.tif 000010
【図１０】
0004623343.tif 000011
【図１１】
0004623343.tif 000012
【図１２】
0004623343.tif 000013
【図１３】
0004623343.tif 000014